(57)【要約】【課題】  エレクトロルミネセンス表示装置の駆動方法において、コントラスト不足感を感じさせることなく、黒の背景に小面積の固定した白パターンを長時間表示する際に白を表示する部分の焼き付けを防止する。【解決手段】  エレクトロルミネセンス素子パネルと、映像信号が入力される入力信号処理回路とを備え、前記入力信号処理回路は、前記入力される映像信号の平均輝度を検出する手段１と、前記エレクトロルミネセンス素子パネルの画像として、平均輝度の低い画面に高輝度の固定パターンが期間Ｔ１以上表示される場合に、期間Ｔ２をかけて前記固定パターンの輝度を所定の値まで低下させる手段２とを有する。【選択図】        図５
2006047617.tif 000002
【特許請求の範囲】
【請求項１】
エレクトロルミネセンス素子パネルと、
映像信号が入力される入力信号処理回路とを備え、
前記入力信号処理回路は、前記入力される映像信号の平均輝度を検出する手段１と、
前記エレクトロルミネセンス素子パネルの画像として、平均輝度の低い画面に高輝度の固定パターンが期間Ｔ１以上表示される場合に、期間Ｔ２をかけて前記固定パターンの輝度を所定の値まで低下させる手段２とを有することを特徴とするエレクトロルミネセンス表示装置。
【請求項２】
前記期間Ｔ１は１０秒、前記期間Ｔ２は３秒であることを特徴とする請求項１に記載のエレクトロルミネセンス表示装置。
【請求項３】
前記エレクトロルミネセンス素子パネルに黒の画像を表示するときの輝度を０％、前記エレクトロルミネセンス素子パネルに白の画像を表示するときの輝度を１００％とするとき、前記平均輝度は、５０％以下であることを特徴とする請求項１または請求項２に記載のエレクトロルミネセンス表示装置。
【請求項４】
前記手段２は、前記期間Ｔ１以上表示される固定パターンの輝度が８０％以上のときに、前記期間Ｔ１以上表示される固定パターンとの輝度差が２０％となる値まで、前記固定パターンの輝度を低下させることを特徴とする請求項３に記載のエレクトロルミネセンス表示装置。
【請求項５】
前記手段２は、前記期間Ｔ１以上表示される固定パターンの輝度が６０％より大きく、８０％未満のときに、前記固定パターンの輝度を６０％まで低下させることを特徴とする請求項３に記載の駆動方法。
【請求項６】
前記手段２は、前記期間Ｔ２内に、前記固定パターンの輝度を直線的に低下させることを特徴とする請求項１ないし請求項５のいずれか１項に記載のエレクトロルミネセンス表示装置。
【請求項７】
前記手段２は、前半部分が穏やかで、後半部分が急激に変化するように、前記期間Ｔ２内に前記固定パターンの輝度を曲線的に低下させることを特徴とする請求項１ないし請求項５のいずれか１項に記載の駆動方法。
【請求項８】
前記手段２は、前半部分が急激で、後半部分が穏やかに変化するように、前記期間Ｔ２内に前記固定パターンの輝度を曲線的に低下させることを特徴とする請求項１ないし請求項５のいずれか１項に記載のエレクトロルミネセンス表示装置。
【請求項９】
前記期間Ｔ２後の前記固定パターンの輝度は、ＦＲＣ方式により実現されることを特徴とする請求項１ないし請求項８のいずれか１項に記載のエレクトロルミネセンス表示装置。
【請求項１０】
エレクトロルミネセンス素子パネルを備えるエレクトロルミネセンス表示装置の駆動方法であって、
前記エレクトロルミネセンス素子パネルの画像として、平均輝度の低い画面に高輝度の固定パターンが期間Ｔ１以上表示されるときに、期間Ｔ２をかけて、前記固定パターンの輝度を所定の値まで低下させることを特徴とする駆動方法。
【請求項１１】
前記期間Ｔ１は１０秒、前記期間Ｔ２は３秒であることを特徴とする請求項１０に記載の駆動方法。
【請求項１２】
前記エレクトロルミネセンス素子パネルに黒の画像を表示するときの輝度を０％、前記エレクトロルミネセンス素子パネルに白の画像を表示するときの輝度を１００％とするとき、前記平均輝度は、５０％以下であることを特徴とする請求項１０または請求項１１に記載の駆動方法。
【請求項１３】
前記期間Ｔ１以上表示される固定パターンの輝度が８０％以上のときに、前記所定の値は、前記期間Ｔ１以上表示される固定パターンとの輝度差が２０％となる値であることを特徴とする請求項１２に記載の駆動方法。
【請求項１４】
前記期間Ｔ１以上表示される固定パターンの輝度が６０％以上、８０％未満のときに、前記所定の値は、６０％であることを特徴とする請求項１２に記載の駆動方法。
【請求項１５】
前記期間Ｔ２内に、前記固定パターンの輝度を直線的に低下させることを特徴とする請求項１０ないし請求項１４のいずれか１項に記載の駆動方法。
【請求項１６】
前半部分が穏やかで、後半部分が急激に変化するように、前記期間Ｔ２内に前記固定パターンの輝度を曲線的に低下させることを特徴とする請求項１０ないし請求項１４のいずれか１項に記載の駆動方法。
【請求項１７】
前半部分が急激で、後半部分が穏やかに変化するように、前記期間Ｔ２内に前記固定パターンの輝度を曲線的に低下させることを特徴とする請求項１０ないし請求項１４のいずれか１項に記載の駆動方法。
【請求項１８】
前記期間Ｔ２後の前記固定パターンの輝度は、ＦＲＣ方式により実現されることを特徴とする請求項１０ないし請求項１７のいずれか１項に記載の駆動方法。
【発明の詳細な説明】
【技術分野】
【０００１】
本発明は、有機エレクトロルミネセンス（ＥＬ；Electro Luminescence）素子を用いるエレクトロルミネセンス表示装置およびその駆動方法に係り、特に、黒の背景に小面積の固定した白パターンを長時間表示する際の焼き付けを防止する技術に関する。
【背景技術】
【０００２】
有機エレクトロルミネセンス素子（以下、ＥＬ素子という。）を用いるアクティブマトリクス駆動のエレクトロルミネッセンス表示装置（以下、ＥＬ表示装置という。）は、次世代のフラットパネルディスプレイとして期待されている。
例えば、下記特許文献１にも記載されているように、典型的なＥＬ表示装置では、複数の画素がマトリクス状に配列される。各画素は、ＥＬ素子、ＥＬ素子に直列に接続される駆動トランジスタ、およびこの駆動トランジスタのゲート電圧を保持するキャパシタを有する。
ＥＬ素子は、赤、緑、または青の蛍光性有機化合物を含む薄膜である発光層をカソード電極およびアノード電極間に挟持した構造を有し、発光層に電子および正孔を注入しこれらを再結合させることにより励起子を生成させ、この励起子の失活時に生じる光放出により発光する。
一方、例えば、下記特許文献２に記載されているように、液晶テレビ等において、画像処理技術により高画質化を図ることが知られている。
【０００３】
なお、本願発明に関連する先行技術文献としては以下のものがある。
【特許文献１】特開２００２−１８９４４５号公報
【特許文献２】特開２００１−２７８９０号公報（及びその対応欧州特許公報EP1111578A1）
【発明の開示】
【発明が解決しようとする課題】
【０００４】
前述したようなＥＬ表示装置において、黒の背景に小面積の固定した白パターンを長時間表示すると、白を表示する部分が焼き付けを起こす。この問題点を解決するために、黒の背景に表示される白パターンの輝度を低下させればよいが、その場合には、コントラストが低下するという問題点があった。
本発明は、前記従来技術の問題点を解決するためになされたものであり、本発明の目的は、エレクトロルミネセンス表示装置およびその駆動方法において、コントラスト不足感を感じさせることなく、黒の背景に小面積の固定した白パターンを長時間表示する際に白を表示する部分の焼き付けを防止することが可能な技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明では、エレクトロルミネセンス素子パネルに表示される画像として、平均輝度の低い画面に高輝度の固定パターンが、期間Ｔ１（例えば、１０秒）以上表示されるときに、期間Ｔ２（例えば、３秒）をかけて、例えば、固定パターンの輝度を所定の値、例えば、１００％から８０％まで低下させることを特徴とする。
高輝度で小面積部分の輝度を、始めから８０％に下げるとコントラストが低下し、画質が低下するが、本発明では、始めに１００％の輝度で表示するので、コントラストは低下せず、次に、時間をかけて輝度をじわじわ低下させるようにしたので、始めから８０％の輝度を表示する場合のように、コントラスト不足感を感じさせることを防止することができる。
【発明の効果】
【０００６】
本願において開示される発明のうち代表的なものによって得られる効果を簡単に説明すれば、下記の通りである。
本発明のエレクトロルミネセンス表示装置およびその駆動方法によれば、コントラスト不足感を感じさせることなく、黒の背景に小面積の固定した白パターンを長時間表示する際に白を表示する部分の焼き付けを防止することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例のＥＬ表示装置の概略構成を示すブロック図である。
本実施例のＥＬ表示装置は、有機ＥＬ表示パネル（Organic  Electroluminescent  Display  Panel）１０と、その周辺に配置又は形成されたデータドライバ２１および走査線駆動回路２２と、このデータドライバ２１および走査線駆動回路２２を制御するコントローラ２０と、ＥＬ表示装置の外部回路から入力される映像信号を有機ＥＬ表示パネル１０での画像表示に適合させるように加工してコントローラ２０に伝送する入力信号処理回路１００を備える。
図２は、図１に示す有機ＥＬ表示パネル１０の等価回路を、データドライバ２１および走査信号駆動回路２２とともに示す図である。
図２において、スイッチ用の薄膜トランジスタ（ＳＷ１）は、ｎ型の薄膜トランジスタであり、そのゲートが走査線（ＧＬ）に、ソースが映像線（ＤＬ）に、ドレインが駆動用の薄膜トランジスタ（ＤＴ）のゲートに接続される。
また、駆動用の薄膜トランジスタ（ＤＴ）は、ｐ型の薄膜トランジスタであり、ソースが電源線（ＰＬ）に、ドレインがＥＬ素子（ＯＬＥＤ）のアノードに接続される。
また、電荷蓄積容量（Ｃｓｔｇ）は、駆動用の薄膜トランジスタ（ＤＴ）のゲートと、電源線（ＰＬ）との間に接続される。
【０００８】
走査線（ＧＬ）は、走査線駆動回路２２に接続され、図２に示す映像線（ＤＬ）は、図１に示すデータドライバ２１に接続される。データドライバ２１は、アナログの映像信号を映像線（ＤＬ）に供給する。
走査線駆動回路２２は、各フレーム期間において、走査線（ＧＬ）に順次に走査線選択信号を供給する。
各行のスイッチ用の薄膜トランジスタ（ＳＷ１）は、対応する走査線（ＧＬ）から供給される走査線選択信号により１水平走査期間だけ導通し、走査線選択信号が再び１フレーム期間後に供給されるまで非導通となる。
スイッチ用の薄膜トランジスタ（ＳＷ１）の導通により映像線（ＤＬ）から供給されるアナログの映像信号が、電荷蓄積容量（Ｃｓｔｇ）に書き込まれ、更新周期である１フレーム期間（１Ｆ）毎に更新される。
１画素分の駆動用の薄膜トランジスタ（ＤＴ）は、電荷蓄積容量（Ｃｓｔｇ）に書き込まれたアナログの映像信号に対応した駆動電流（Ｉd）をＥＬ素子（ＯＬＥＤ）に供給する。これにより、ＥＬ素子（ＯＬＥＤ）が発光する。なお、図２において、２５は発光電源、２６は基準電位（例えば、ＧＮＤ）である。
【０００９】
ＥＬ素子（ＯＬＥＤ）は、蛍光性有機化合物を含む薄膜である発光層をカソード電極およびアノード電極間に挟持した構造を有し、発光層に電子および正孔を注入しこれらを再結合させることにより励起子を生成させ、この励起子の失活時に生じる光放出により発光する。
スイッチ用の薄膜トランジスタ（ＳＷ１）および駆動用の薄膜トランジスタ（ＤＴ）は、例えば、半導体層として多結晶シリコン膜を用いる薄膜トランジスタで構成される。
また、走査線駆動回路２２およびデータドライバ２１は、スイッチ用の薄膜トランジスタ（ＳＷ１）および駆動用の薄膜トランジスタ（ＤＴ）と同一工程で形成され、半導体層として多結晶シリコン膜を用いたＮチャネル薄膜トランジスタあるいはＰチャネル薄膜トランジスタにより構成され、同一絶縁基板上に一体的に形成される。
ここで、走査線駆動回路２２およびデータドライバ２１は、コントローラ２０により制御・駆動される。また、走査線駆動回路２２およびデータドライバ２１には、電源回路２３から電源電圧、あるいはＥＬ素子（ＯＬＥＤ）駆動の駆動電圧（例えば、階調電圧、走査線選択電圧、走査線非選択電圧など）が供給される。
【００１０】
図１に示す入力信号処理回路１００は、画質制御回路１１０とマイコン＆フレームメモリ１２０とを有し、画質制御回路１１０は、その入力側から、コントラスト制御回路１１１、ＤＣレベル制御回路１１２およびデジタルγ補正回路１１３を有し、デジタルγ補正回路１１３から出力される映像信号はコントローラ２０に転送される。
テレビジョン受像器、ビデオカメラ、携帯電話などの外部回路（図示せず）の画像信号出力端子から出力された映像信号は、画質制御回路の入力側からコントラスト制御回路に入力されるとともに、マイコン＆フレームメモリ１２０にも入力される。
マイコン＆フレームメモリ１２０は、外部回路からの映像信号を受け、当該映像信号に拠り、有機ＥＬ表示パネル１０に表示されるべき画像の特徴を解析する。
具体的には、ＡＰＬ検出部１２１、ＭＡＸ検出部１２２及びＭＩＮ検出部１２３においいて、入力された映像信号の平均輝度レベル（以下、ＡＰＬと記す）、最大輝度レベル（以下、ＭＡＸと記す）および最小輝度レベル（以下、ＭＩＮと記す）を夫々検出する。
これらの最大輝度レベルＭＡＸ、最小輝度レベルＭＩＮ及び平均輝度レベルＡＰＬの検出は、従来から行われている処理であるので、ここでの詳しい説明は省略する。
例えば、有機ＥＬ表示パネル１０の画面が「星空」のように暗い背景に散布された複数の明るい「点」を表示するとき、この画面に対応する映像信号の平均輝度レベルＡＰＬは、その最大輝度レベルＭＡＸと最小輝度レベルＭＩＮとの中点より暗い側に現れる。
【００１１】
各検出部で検出された映像信号の最大輝度レベルＭＡＸ、最小輝度レベルＭＩＮ及び平均輝度レベルＡＰＬは、画質制御量計算部１２４に入力され、画質制御量が計算される。その具体例は、図２、図３を参照して後述する。
マイコン＆フレームメモリ１２０は、当該画質制御量の計算結果を画質制御信号として、画質制御回路１１０のコントラスト制御回路１１１及びＤＣレベル制御回路１１２に転送する。
図３、図４は、本実施例のＥＬ表示装置の画質制御回路周辺（コントローラ２０より外部回路側に位置する言わば「インタフェース」）における映像信号の処理の一例を説明する図である。
図３の（１）から（４）に至る信号処理、及び図４の（１）から（４）に至る信号処理のいずれも以下に記す如く、同様に行われるが、各検出部（１２１，１２２，１２３）から画質制御量計算部１２４に入力される最大輝度レベルＭＡＸと最小輝度レベルＭＩＮとの中間値に対する平均輝度レベルＡＰＬの値が異なる。
前者においては、図３（１）に示す如く、外部回路からの映像信号は当該中間値より大きい平均輝度レベルＡＰＬを示すため、この映像信号は有機ＥＬ表示パネルの画面を全体的に明るくする画像（例えば、晴天時の砂浜）に相当する。
後者においては、図４（１）に示す如く、外部回路からの映像信号は当該中間値より小さい平均輝度レベルＡＰＬを示すため、この映像信号は有機ＥＬ表示パネルの画面を全体的に暗くする画像（例えば、星空）に相当する。
【００１２】
次に、図３（１）〜（４）及び図４（１）〜（４）を参照して、本実施例のＥＬ表示装置のインタフェースにおける信号処理を説明する。
まず、画質制御量計算部１２４には、各検出部（１２１，１２２，１２３）から或るフレーム期間における映像信号の最大輝度レベルＭＡＸ、最小輝度レベルＭＩＮ及び平均輝度レベルＡＰＬが入力される。
画質制御回路１１０に備えられたＤＣレベル制御回路１１２の出力ダイナミックレンジ（出力信号が取り得る振幅の最大値）に対し、上記或るフレーム期間での映像信号の最大振幅（最大輝度レベルＭＡＸと最小輝度レベルＭＩＮとの差）が小さい場合、当該映像信号はＤＣレベル制御回路１１２から出力される（この場合、デジタルγ補正回路１１３に入力される）時点でＤＣレベル制御回路１１２の出力ダイナミックレンジ並みの振幅を持つように増幅される。
このような映像信号の増幅は、画質制御回路１１０のコントラスト制御回路１１１にて、これに外部回路から入力された映像信号に対して施される。
一方、マイコン＆フレームメモリ１２０は、映像信号の最大輝度レベルＭＡＸと最小輝度レベルＭＩＮとの差からその最大振幅を求め、これをＤＣレベル制御回路１１２の出力ダイナミックレンジと比較して、コントラスト制御回路１１１における映像信号の増幅率（信号振幅調整利得、Ｇａｉｎ）を下記（１）式により求める。
〔数１〕
Ｇａｉｎ＝ダイナミックレンジ／（ＭＡＸ−ＭＩＮ）  ・・・・・・・・（１）
【００１３】
例えば、図３（１）や図４（１）に示された映像信号の最大輝度レベルＭＡＸと最小輝度レベルＭＩＮとの差は、ＤＣレベル制御回路１１２の出力ダイナミックレンジ（１００％と表示）の幅の６７％であるため、マイコン＆フレームメモリ１２０は約１．５のＧａｉｎを算出する。マイコン＆フレームメモリ１２０により算出されたＧａｉｎはコントラスト制御回路１１１に転送され、これによる映像信号の増幅率を決める。
ところで、図３（１）や図４（１）に示される如く、外部回路からの映像信号の最小輝度レベルＭＩＮはＤＣレベル制御回路１１２の出力信号の下限と異なることが多く、また、外部回路からの映像信号の最大輝度レベルＭＡＸはＤＣレベル制御回路１１２の出力信号の上限と異なることが多い。
このため、当該映像信号の増幅は、図３（２）及び図４（２）に示される如く、その平均輝度レベルＡＰＬを基準に（ＡＰＬのＤＣレベルを固定して）施される。しかし、増幅された映像信号（以下、増幅映像信号という）の最小輝度レベルＭＩＮがＤＣレベル制御回路１１２の出力信号の下限より小さくなる（図３（２））ことや、その最大輝度レベルＭＡＸがＤＣレベル制御回路１１２の出力信号の上限より大きくなる（図４（２））ことが生じる。
斯様な問題に対し、コントラスト制御回路１１１は、ＤＣレベル制御回路１１２より充分広い出力ダイナミックレンジを持ち、且つ、図３（２）の如くＤＣレベル制御回路１１２の出力ダイナミックレンジの下限を越える増幅映像信号の一部（０．５Ｖ）を「負の信号」として出力するように設計される。
ＤＣレベル制御回路１１２は、斯様にしてコントラスト制御回路１１１から出力された増幅映像信号を受け、そのＤＣレベルを調整する（図３（３）及び図４（３）参照）ことにより、当該増幅映像信号の振動範囲をＤＣレベル制御回路１１２の出力ダイナミックレンジ内に収める。
【００１４】
増幅映像信号のＤＣレベル調整量は、画質制御量とも、ＤＣレベルシフト量とも記され、本明細書では、以降、単に「Ｏｆｆｓｅｔ」とも記す。このＯｆｆｓｅｔはマイコン＆フレームメモリ１２０により算出され、ＤＣレベル制御回路１１２に入力される。
ＤＣレベル制御回路１１２によりレベルシフトした増幅映像信号は、図３（３）及び図４（３）の夫々に「映像信号出力」として示され、デジタルγ補正回路１１３を通してコントローラ２０に入力される。
コントローラ２０は、画質制御回路１１０（デジタルγ補正回路１１３）からの映像信号出力を参照して、有機ＥＬ表示パネル１０の電源線（ＰＬ）の電流量（各画素の有機ＥＬ素子に供給される）を調整し、またはデータドライバ２１におけるデータ信号出力を決める階調信号を調整する。
いずれの調整も、フレーム期間毎の表示画像の平均輝度レベルＡＰＬをその映像信号の入力時における平均輝度レベルＡＰＬに合わせて行われる。これにより、図３（３）及び図４（３）に示される映像信号出力の平均輝度レベルＡＰＬの変動が抑えられる。従って、表示画像における輝度のダイナミックレンジは、図３（４）及び図４（４）に「視覚的輝度レベル」として示される如く、表示画像の全体の明るさに応じて変動する。
例えば、白い背景に複数の黒いスポットを表示する画像では、表示画像の最大輝度レベルＭＡＸが抑えられるため、視覚上の輝度レベルも下がり、その結果、黒いスポットのコントラストが向上して、白い背景に埋もれ難くなる（図３（４））。
また、黒い背景に複数の白いスポットを表示する画像（例えば、星空）では、表示画像の最大輝度レベルＭＡＸが高められるため、視覚上の白輝度が上がり、その結果、黒い背景における白いスポットの明るさが際立つ（図３（４））。
【００１５】
一般に、ＥＬ表示装置では、黒の背景に小面積の固定した白パターンを長時間表示すると、白を表示する部分が焼き付けを起こす。この問題点を解決するために、黒の背景に表示される白パターンの輝度を低下させればよいが、その場合には、コントラストが低下するという問題点があった。
図５は、本実施例のＥＬ表示装置の駆動方法を説明するための模式図である。本実施例のＥＬ表示装置では、図５（ａ）に示すように、平均輝度の低い画面（ここでは、黒色）に高輝度で小面積の固定した白パターンが表示される。ここで、黒の背景の輝度を０％とするとき、固定した白パターンの輝度は１００％とする。
図５に示す駆動方法では、図５（ｂ）に示すように、黒の背景中に高輝度で小面積の固定パターンが期間Ｔ１（ここでは、１０）秒以上表示されたら、期間Ｔ２（ここでは、３秒）程度の時間をかけて当該固定パターンの輝度を、１００％から８０％程度に低下させる。
この場合に、図５（ｃ）に示すように、高輝度で小面積の固定パターンの１００％輝度から８０％輝度への変化は、前半部分が急激で、後半部分が穏やかに変化するように、期間Ｔ２内に曲線的に低下させる。
これにより、本実施例では、コントラスト不足感を感じさせることなく、小面積の固定した白パターンを長時間表示する際に白を表示する部分の焼き付けを防止することができる。
一般に、高輝度で小面積部分の輝度を、始めから８０％に下げるとコントラストが低下し、画質が低下するが、本実施例では、始めに１００％の輝度で表示するので、コントラストは低下せず、次に、時間をかけて輝度をじわじわ低下させるようにしたので、始めから８０％の輝度を表示する場合のように、コントラスト不足感を感じさせることを防止することができる。
【００１６】
図６は、本実施例のＥＬ表示装置の駆動方法の変形例を説明するための模式図である。図６の場合でも、図６（ａ）に示すように、平均輝度の低い画面（ここでは、黒色）に高輝度で小面積の固定した白パターンが表示され、黒の背景の輝度を０％とするとき、固定した白パターンの輝度は１００％とする。
図６に示す駆動方法でも、図６（ｂ）に示すように、黒の背景の中に高輝度で小面積の固定パターンが表示される場合に高輝度部分の表示が１０秒以上続いたら、３秒程度の時間をかけて輝度を１００％から８０％程度に下げる。
但し、図６の駆動方法では、８０％に下げる高輝度部分を、７０％と９０％の輝度からＦＲＣ（Frame Rate Control）を使って表示する。即ち、７０％と９０％とを交互に表示し、人間の目の残像により、８０％なるようにしている。
また、図６（ｃ）に示すように、高輝度で小面積の固定パターンの１００％輝度から８０％輝度への変化は、前半部分が急激で、後半部分が穏やかに変化するように、期間Ｔ２内に曲線的に低下させる。
図７は、本実施例のＥＬ表示装置の駆動方法の変形例を説明するための模式図である。
図５、図６では、高輝度で小面積の固定パターンの１００％輝度から８０％輝度への変化を、前半部分が急激で、後半部分が穏やかに変化するように、期間Ｔ２内に曲線的に低下させたが、図７（ａ）では、高輝度で小面積の固定パターンの１００％輝度から８０％輝度への変化を、直線的（時間に対して均一に減少させる）に変化させるようにしたものである。
また、図７（ｂ）は、高輝度で小面積の固定パターンの１００％輝度から８０％輝度への変化を、図５、図６とは逆の曲線となるように、で前半部分が穏やかで、後半部分が急激に変化するように、期間Ｔ２内に曲線的に低下させるようにしたものである。
【００１７】
図８は、本実施例のＥＬ表示装置の駆動方法の変形例を説明するための模式図である。図８に示す駆動方法では、図８（ａ）に示すように、平均輝度の低い画面（ここでは、黒色）に高輝度で小面積の固定した白パターンが表示されるが、黒の背景の輝度を０％とするとき、固定した白パターンの輝度は８０％である点で、前述の図５に示す駆動方法と異なる。
図８に示す駆動方法では、図８（ｂ）に示すように、黒の背景の中に高輝度で小面積の固定パターンが表示される場合に高輝度部分の表示が１０秒以上続いたら、３秒程度の時間をかけて輝度を８０％から６０％程度に下げる。
この場合に、図８（ｃ）に示すように、高輝度で小面積の固定パターンの８０％輝度から６０％輝度への変化は、前半部分が急激で、後半部分が穏やかに変化するように、期間Ｔ２内に曲線的に低下させる。
図９は、本実施例のＥＬ表示装置の駆動方法の変形例を説明するための模式図である。図９に示す駆動方法では、図９（ｂ）に示すように、平均輝度の低い画面（ここでは、黒色）に高輝度で小面積の固定した白パターンが表示されるが、黒の背景の輝度を０％とするとき、固定した白パターンの輝度は８０％である点で、前述の図６に示す駆動方法と異なる。
図９に示す駆動方法でも、図９（ｂ）に示すように、黒の背景の中に高輝度で小面積の固定パターンが表示される場合に高輝度部分の表示が１０秒以上続いたら、３秒程度の時間をかけて輝度を８０％から６０％程度に下げる。
但し、図９の駆動方法では、６０％に下げる高輝度部分を、５０％と７０％の輝度からＦＲＣ（Frame Rate Control）を使って表示する。
この場合に、図９（ｃ）に示すように、高輝度で小面積の固定パターンの８０％輝度から６０％輝度への変化は、前半部分が急激で、後半部分が穏やかに変化するように、期間Ｔ２内に曲線的に低下させる。
【００１８】
図１０は、本実施例のＥＬ表示装置の駆動方法の変形例を説明するための模式図である。
図８、図９では、高輝度で小面積の固定パターンの８０％輝度から６０％輝度への変化を、前半部分が急激で、後半部分が穏やかに変化するように、期間Ｔ２内に曲線的に低下させたが、図１０（ａ）では、高輝度で小面積の固定パターンの８０％輝度から６０％輝度への変化を、直線的（時間に対して均一に減少させる）に変化させるようにしたものである。
また、図１０（ｂ）は、高輝度で小面積の固定パターンの８０％輝度から６０％輝度への変化を、図８、図９とは逆の曲線となるように、前半部分が穏やかで、後半部分が急激に変化するように、期間Ｔ２内に曲線的に低下させるようにしたものである。
なお、本発明の駆動方法において、黒色の輝度を０％とするとき、平均輝度の低い画面に高輝度で小面積の固定した白パターンの輝度（Ｗ）とし、Ｗが、Ｗ≧８０％、期間Ｔ２程度かけて低下させる輝度値をＷ１とするとき、Ｗ−Ｗ１＝２０％（例えば、１００％→８０％、８０％→６０％）が好ましい。
また、Ｗが、６０％＜Ｗ＜８０％のとき、期間Ｔ２程度かけて、当該高輝度で小面積の固定した白パターンの輝度を６０％まで低下させるのが好ましい。
また、本発明の駆動方法は、平均輝度の低い画面に高輝度で小面積の固定した白パターンが長時間（期間Ｔ１）表示される場合に、当該高輝度で小面積の固定した白パターンの輝度を期間Ｔ２程度かけて低下させることを特徴とするが、黒色の輝度を０％とするとき、前述の平均輝度の低い画面は５０％以下が好ましい。
なお、本実施例の駆動方法は、前述のマイコン＆フレームメモリ１２０の制御により実行される。
【００１９】
図１１、図１２は、図２に示す有機ＥＬ表示パネル１０の１画素の他の例を示す回路図である。
図２に示す画素は、スイッチ用の薄膜トランジスタと、駆動用の薄膜トランジスタとが２個で構成されているのに対して、図１１、図１２に示す画素は、スイッチ用の薄膜トランジスタと、駆動用の薄膜トランジスタとが４個で構成されている点で、図１１、図１２に示す画素は、図２に示す画素と相違する。
本発明は、図１に示す有機ＥＬ表示パネル１０の１画素が、図１１、図１２に示す画素の場合にも適用可能であることは言うまでもない。
なお、図１１、図１２に示す画素は、従来公知のものであるので、その詳細な説明は省略する。
以上説明したように、本実施例では、コントラスト不足感を感じさせることなく、黒の背景に小面積の固定した白パターンを長時間表示する際に白を表示する部分の焼き付けを防止することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２０】
【図１】本発明の実施例のＥＬ表示装置の概略構成を示すブロック図である。
【図２】図１に示す有機ＥＬ表示パネルの等価回路を、データドライバおよび走査線駆動回路とともに示す図である。
【図３】本発明によるＥＬ表示装置の画質制御回路周辺における映像信号の処理の一例を説明する図である。
【図４】本発明によるＥＬ表示装置の画質制御回路周辺における映像信号の処理の一例を説明する図である。
【図５】本発明の実施例のＥＬ表示装置の駆動方法を説明するための模式図である。
【図６】本発明の実施例のＥＬ表示装置の駆動方法の変形例を説明するための模式図である。
【図７】本発明の実施例のＥＬ表示装置の駆動方法の変形例を説明するための模式図である。
【図８】本発明の実施例のＥＬ表示装置の駆動方法の変形例を説明するための模式図である。
【図９】本発明の実施例のＥＬ表示装置の駆動方法の変形例を説明するための模式図である。
【図１０】本発明の実施例のＥＬ表示装置の駆動方法の変形例を説明するための模式図である。
【図１１】図２に示す有機ＥＬ表示パネルの１画素の他の例を示す回路図である。
【図１２】図２に示す有機ＥＬ表示パネルの１画素の他の例を示す回路図である。
【符号の説明】
【００２１】
１０  有機ＥＬ表示パネル
ＧＬ  走査線
ＤＬ  映像線
ＰＬ  電源線
２０  コントローラ
２１  データドライバ
２２  走査線駆動回路
２３  電源回路
２５  発光電源
２６  基準電位
１００  入力信号処理回路
１１０  画質制御回路
１１１  コントラスト制御回路
１１２  ＤＣレベル制御回路
１１３  デジタルγ補正回路
１２０  マイコン＆フレームメモリ
１２１  ＡＰＬ検出部
１２２  ＭＡＸ検出部
１２３  ＭＩＮ検出部
１２４  画質制御量計算部
ＯＬＥＤ  ＥＬ素子
ＳＷ１  スイッチ用の薄膜トランジスタ
ＤＴ  駆動用の薄膜トランジスタ
Ｃｓｔｇ  電荷蓄積容量
【図１】
2006047617.tif 000003
【図２】
2006047617.tif 000004
【図３】
2006047617.tif 000005
【図４】
2006047617.tif 000006
【図５】
2006047617.tif 000007
【図６】
2006047617.tif 000008
【図７】
2006047617.tif 000009
【図８】
2006047617.tif 000010
【図９】
2006047617.tif 000011
【図１０】
2006047617.tif 000012
【図１１】
2006047617.tif 000013
【図１２】
2006047617.tif 000014